【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
流入口（４）と流出口（５）を有する攪拌容器（２）に夫々配置され、共通の攪拌器軸（１０）に沿って互いに離間して配置される複数の攪拌器翼（１１、２０、２１）、この攪拌器翼（１１、２０、２１）と前記撹拌容器（２）の内壁間にはギャップ（１６）が存在するものであり、を有する攪拌手段（１）少なくとも１つを用いてガラスメルトを均質化する方法であって、
流入口（４）レベルにある少なくとも１つの攪拌器翼（２０）は攪拌器軸（１０）に沿った、かつ流入口（４）から流出口（５）方向への運び効果をなし、及び
前記ギャップ（１６）には、流入口（４）から前記ギャップ（１６）を通っての流出口（５）へのガラスのストレートな通過を妨げるため、逆向きの運び効果を奏する逆向き流域が形成されることを特徴とする方法。
【請求項２】
流入口（４）から流出口（５）までの攪拌手段（１）による運び効果を、流入口（４）から流出口（５）までの全メルト流に基づき±５％未満、好ましくは±１％未満とする請求項１に記載の方法。
【請求項３】
攪拌器翼（２０、２１）少なくとも２つが互いに逆迎え角で配置され、攪拌器翼が攪拌器軸（１０）に沿って互いに離間され、且つ対向運び効果のある少なくとも２つの区域（２２、２３）を発生させるようにする請求項１又は２に記載の方法。
【請求項４】
流入口（４）から流出口（５）までの攪拌手段（１）による運び効果が、攪拌器翼（１１、２０，２１）の位置付けにより、攪拌器翼の形状により及び/又は攪拌器軸（１０）の円周方向における攪拌器翼の角度位置により生じるようにする請求項１〜３の何れかに記載の方法。
【請求項５】
流出口（５）域の攪拌器翼（２０）少なくとも１つの各々が攪拌器軸（１０）に沿って、流入口（４）から流出口（５）に向かう方向に軸方向運び効果を有する区域（２２、２４）を形成し、この区域（２２、２４）から離間して、対向運び効果を有する少なくとも第２の区域（２３）が形成されるようにする請求項１〜４の何れかに記載の方法。
【請求項６】
攪拌器翼（１１、２０、２１）が軸方向及び半径方向の運び効果を引き起こすようにする請求項１〜５の何れかに記載の方法。
【請求項７】
運び効果により生ずるメルト流が、各攪拌容器（２）の内壁と攪拌器翼（１１、２０、２１）間のギャップ（１６）を、これにガラスメルトが直接流れないように封止する請求項１〜６の何れかに記載の方法。
【請求項８】
流れの方向で見て前部攪拌器翼（２０）が流入口（４）の断面の一部に亘って流入口（４）の区域に延び、
流れの方向で見て前部攪拌器翼（２０）が流入口（４）の断面の０％上、５０％までを覆うようにする請求項１〜７の何れかに記載の方法。
【請求項９】
攪拌容器（２）が垂直方向に向き、
流入口（４）が攪拌容器の上端に配置され、
流出口（５）が攪拌容器に基部に配置され、
流出口（５）が攪拌容器の基部に同心的又は偏心して設けられる
請求項１〜８の何れかに記載の方法。
【請求項１０】
攪拌容器（２）の基部の形状を円錐テーパー状（６）又は面状とする請求項９に記載の方法。
【請求項１１】
表示ガラス、ガラスセラミック、硼珪酸塩ガラス、光学ガラス又はガラス管の製造におけるガラスメルトを均質化するために請求項１〜１０の何れかに記載の方法を用いるその使用。
【請求項１２】
流出口（５）が、ガラスメルトを放出するガラス供給装置（３０）の直前に配置される請求項１１に記載の使用。
【請求項１３】
ガラス供給装置（３０）がガラス管を製造するための装置（３２）の一部又はガラス成形手段を形成する請求項１２に記載の使用。
【請求項１４】
流入口（４）と流出口（５）を有する攪拌容器（２）に夫々配置され、共通の攪拌器軸（１０）に沿って互いに離間して配置される複数の攪拌器翼（１１、２０、２１）、この攪拌器翼（１１、２０、２１）と前記撹拌容器（２）の内壁間にはギャップ（１６）が存在するものであり、を有する攪拌手段（１）少なくとも１つを備えるガラスメルト均質化装置であって、
流入口（４）レベルにある少なくとも１つの攪拌器翼（２０）は攪拌器軸（１０）に沿った、かつ流入口（４）から流出口（５）方向への運び効果をなし、及び
前記ギャップ（１６）には、流入口（４）から前記ギャップ（１６）を通っての流出口（５）へのガラスのストレートな通過を妨げるため、逆向きの運び効果を奏する逆向き流域が形成されることを特徴とする装置。
【請求項１５】
概して流入口（４）から流出口（５）までの攪拌手段（１）による運び効果を、流入口（４）から流出口（５）までの全メルト流に基づき±５％未満、好ましくは±１％未満として成る請求項１４に記載の装置。
【請求項１６】
攪拌器翼（２０、２１）少なくとも２つが互いに逆迎え角で配置され、攪拌器翼が攪拌器軸（１０）に沿って互いに離間され、且つ対向運び効果のある区域を発生させて成る請求項１４又は１５に記載の装置。
【請求項１７】
流入口（４）から流出口（５）までの攪拌手段（１）による運び効果が、攪拌器翼（１１、２０、２１）の迎え角により、攪拌器翼の形状により及び/又は攪拌器軸（１）の円周方向における攪拌器翼の角度位置により生じるようにして成る請求項１４〜１６の何れかに記載の装置。
【請求項１８】
攪拌器翼を、流出口（５）域の攪拌器翼（２０）少なくとも１つの各々が攪拌器軸（１０）に沿って、流入口（４）から流出口（５）に向かう方向に軸方向運び効果を有する区域（２２、２４）を形成し、この区域（２２、２４）から離間して、対向運び効果を有する第２の区域（２３）が形成されるように構成して成る請求項１４〜１７の何れかに記載の装置。
【請求項１９】
攪拌器翼（１１、２０、２１）が軸方向及び半径方向の運び効果を引き起こすように構成されて成る請求項１４〜１８の何れかに記載の装置。
【請求項２０】
攪拌器翼を、運び効果により生ずるメルト流が、各攪拌容器（２）の内壁と攪拌器翼（１１、２０、２１）間のギャップ（１６）に直接流れないように封止するように構成して成る請求項１４〜１９の何れかに記載の装置。
【請求項２１】
流れの方向で見て前部攪拌器翼（２０）が流入口（４）の断面の一部に亘って流入口（４）の区域に延び、
流れの方向で見て前部攪拌器翼（２０）が流入口（４）の断面の０％上、５０％までを覆うようにして成る
請求項１４〜２０の何れかに記載の装置。
【請求項２２】
攪拌容器（２）が垂直方向に向き、
流入口（４）が攪拌容器の上端に配置され、
流出口（５）が攪拌容器に基部に配置され、
流出口（５）が攪拌容器の基部に同心的に設けられる
ようにして成る
請求項１４〜２１の何れかに記載の装置。
【請求項２３】
攪拌容器（２）の基部の形状を円錐テーパー（６）又は面状として成る請求項２２に記載の装置。
【請求項２４】
ギャップ（１６）の幅が各攪拌容器の径の３％〜１３％より大きくして成る請求項１４〜２３の何れかに記載の装置。
【請求項２５】
表示ガラス、ガラスセラミック、硼珪酸塩ガラス、光学ガラス又はガラス管の製造におけるガラスメルトを均質化するために請求項１４〜２４の何れかに記載の方法を用いるその使用。
【請求項２６】
流出口（５）が、ガラスメルトを放出するガラス供給装置（３０）の直前に配置される請求項２５に記載の使用。
【請求項２７】
ガラス供給装置（３０）がガラス管を製造するための装置の一部（３２）又はガラス成形手段を形成する請求項２６に記載の使用。